(57)【要約】【課題】  展示場において展示物が替わっても、展示パネルの設置が効率的にでき、また、展示パネルは、ベースがなくても設置できて展示場のスペースが有効に利用でき、観賞者のつまづきの危険を無くすることを目的とする。【解決手段】  展示場床面に予め凹設した位置決め穴にポールを起立させ、位置決め穴に起立させたボール間に張設した展示パネルとした。【選択図】  図１０
2006030832.tif 000002
【特許請求の範囲】
【請求項１】
展示場床面に予め凹設した位置決め穴にポールを起立させ、位置決め穴に起立させたボール間に張設した展示パネル。
【発明の詳細な説明】
【技術分野】
【０００１】
本発明は、美術館や博物館等の展示場における絵画等の展示物を展示する展示パネルに関するものである。
【背景技術】
【０００２】
従来の展示場における展示パネルの設置は、展示物に応じてその度ごとに設置場所が異なり、必ずしも展示パネルの効率的な設置にはなっていなかった。
【０００３】
また、展示パネルの設置の際は、展示パネルの下端両側に展示パネルと直交状にベースを配置して安定して支持するようにされている。このベースの存在により展示場のスペースの有効利用ができなかったり、あるいは観賞者がつまづく危険があった。
【特許文献１】特開平１０−２３４５４３号公報
【発明の開示】
【発明が解決しようとする課題】
【０００４】
展示場において展示物が替わっても、展示パネルの設置が効率的にでき、また、展示パネルは、ベースがなくても設置できて展示場のスペースが有効に利用でき、観賞者のつまづきの危険を無くすることが求められている。
【課題を解決するための手段】
【０００５】
そこで、本発明は、上記の事情に鑑み、展示場において展示物が替わっても、展示パネルの設置が効率的にでき、また、展示パネルは、ベースがなくても設置できて展示場のスペースが有効に利用でき、観賞者のつまづきの危険を無くすべく、展示場床面に予め凹設した位置決め穴にポールを起立させ、位置決め穴に起立させたポール間に張設した展示パネルとした。
【発明の効果】
【０００６】
本発明は、展示場床面に予め凹設した位置決め穴にポールを起立させ、位置決め穴に起立させたポール間に張設した展示パネルであるので、展示場において展示物が替わっても、展示パネルの設置が効率的にでき、また、展示パネルは、ベースがなくても設置できて展示場のスペースが有効に利用でき、観賞者のつまづきの危険を無くすることができる。
【発明を実施するための最良の形態】
【０００７】
本発明を添付する図面に示す具体的な実施例に基づいて以下詳細に説明する。
【０００８】
図１〜図３に本発明の展示パネルの全体を概要を示し、図１はその正面図、図２は左側面図、図３は平面図である。
【０００９】
展示場床面に予め凹設した位置決め穴１にポール２を起立させ、位置決め穴１に起立させたポール２間に展示パネル３を張設し、展示パネル３の正面には展示物４を吊り下げる。
【００１０】
図４は展示パネルを直交状に配置した例を示す。
【００１１】
図５、図６に位置決め穴１が詳細に示され、図５はその縦断面図、図６はその平面図である。
【００１２】
位置決め穴１は、位置決め筒１１に穿設して形成し、この位置決め筒１１の下部に水平状のアンカー板１２を溶接により固着し、このアンカー板１２の４箇所にアンカー止め１３を設け、位置決め筒１１、アンカー板１２、アンカー止め１３は固化材１４中に埋設する。位置決め筒１１の側壁には抜け止め防止ピン１５を螺着し、その先端を位置決め穴１内に突出させる。
【００１３】
この位置決め穴１に異物が入らないように、図７〜図９に示すキャップ１６を嵌める。キャップ１６は上端にフランジ１７を形成し、フランジ１７から嵌合部１８を垂設し、嵌合部１８の下部には傾斜面１９を設ける。フランジ１７の上面にはこのキャップ１６を回転させるための２個のホール２０を凹設する。
【００１４】
位置決め穴１に嵌まったキャップ１６を取り外すには、工具を２個のホール２０に嵌めて回転させると、キャップ１６の傾斜面１９が抜け止め防止ピン１５の先端に当たり、引き続き回転させると傾斜面１９が抜け止め防止ピン先端に当接しているので上昇し、フランジ１７が床面より上昇し、キャップ１１は容易に位置決め穴１から外せる。
【００１５】
キャップ１６を外した位置決め穴１に、図１０に示すようにポール２を起立させる。
【００１６】
ポール２の下部には、図１１〜図１５に示す下部支持金具２１を固着する。下部支持金具２１は全体的には棒状体で、その上部はポール２の下部に内嵌まりできるように断面を四角形に形成し、中間部は図１４に示すように前記上部の断面より大径の四角断面で、その四面にそれぞれ止め穴２２を凹設し、下部の上端面には円形のフランジ２５を設け、図１５に示すように前記位置決め穴１に内嵌めできるように円形断面に形成し、下部の中間部外周に円環溝２３を刻設し、円環溝２３より下部外周軸方向にキー溝２４を設ける。
【００１７】
図１０に示すように、ポール２の下部支持金具２１の下部を位置決め穴１に嵌め下降させると、キー溝２４に抜け止め防止ピン１５の先端が嵌まる。引き続き下降させると、抜け止め防止ピン１５の先端が円環溝２３に至り、ポール２の下降は停止する。
【００１８】
上記のようにして位置決め穴１に所要数のポール２を起立させる。
【００１９】
起立させたポール２に表示パネル３の張設の要領について図１６により述べる。
【００２０】
ポール２の上端に固着する上部受け金具２６は、四角棒材で、図１７、図１８に示すように、下部はポール２に内嵌まりできるように形成し、上部は中央部に円形状の凹み２７を凹設し、その四面に切欠き２８を刻設する。
【００２１】
展示パネル３の上端部側部に、図１９、図２０に示すダボ金具２９を水平状に突出させる。このダボ金具２９の基端部にはネジ山３０を刻設し、先端には大径の係止部３１に形成する。
【００２２】
起立したポール２間に展示パネル３を張設する際は、先ず、展示パネル３の上側部のダボ金具２９の係止部３１を凹み２７に入れてダボ金具２９を切欠き２８に係合させ、展示パネル３をポール２に吊り下げる。
【００２３】
展示パネル３の下部は、図１０に示すように、下部支持金具２１の止め穴２２に、図２１、図２２に示すラッチボルト３２の先端の円形断面のピン部３３を嵌合させて行う。
【００２４】
ラッチボルト３２の基端部は四角棒状体で、その後端には図２３に示すコイルスプリング３４を収容する止め穴３５を凹設し、基端部側面にはラッチボルトツマミ３６を螺着させるネジ穴３７を刻設する。
【００２５】
起立させたポール２に吊り下げた展示パネル３は、ラッチボルト３２をコイルスプリング３４の付勢力に抗して後退させておき、ピン部３３を止め穴２２に嵌めて展示パネル３の下部を固定させる。
【００２６】
展示パネル３の上部には水平方向にピクチャーレール３６が固定してあって、ハンガーセット３７を介して展示物４が展示パネル３の正面に吊り下げられる。
【実施例】
【００２７】
ポールは２５ｍｍ×２５ｍｍ×２．０ｔ、長さ２０５０ｍｍアルミ角パイプ、位置決め穴径は１９．５ｍｍ、展示パネル幅８８１ｍｍである。
【産業上の利用可能性】
【００２８】
本発明は、絵画以外の展示物にも応用できる。
【図面の簡単な説明】
【００２９】
【図１】本発明の展示パネルの全体を概要を示す正面図である。
【図２】図１の左側面図である。
【図３】図１の平面図である。
【図４】本発明の展示パネルが直交状に配置された例の平面図である。
【図５】本発明に係る位置決め穴の縦断面図である。
【図６】図５の平面図である。
【図７】本発明に係るキャップの正面図である。
【図８】図７の左側面図である。
【図９】図７の平面図である。
【図１０】本発明の位置決め穴にポールを起立させる状態を説明する縦断面図である。
【図１１】本発明に係る下部支持金具の正面図である。
【図１２】図１１の右側面図である。
【図１３】図１１のXIII−XIIIの断面矢視図である。
【図１４】図１１のXIV −XIV の断面矢視図である。
【図１５】図１１のXV−XVの断面矢視図である。
【図１６】本発明のポール上端に展示パネルを吊り下げる状態を説明する正面図である。
【図１７】本発明の上部受け金具の正面図である。
【図１８】図１７のXVIII −XVIII の断面矢視図である。
【図１９】本発明に係るダボ金具の正面図である。
【図２０】図１９の右側面図である。
【図２１】本発明に係るラッチボルトの正面図である。
【図２２】図２１の底面図である。
【図２３】本発明に係るコイルスプリングの正面図である。
【符号の説明】
【００３０】
１…位置決め穴
２…ポール
３…展示パネル
【図１】
2006030832.tif 000003
【図２】
2006030832.tif 000004
【図３】
2006030832.tif 000005
【図４】
2006030832.tif 000006
【図５】
2006030832.tif 000007
【図６】
2006030832.tif 000008
【図７】
2006030832.tif 000009
【図８】
2006030832.tif 000010
【図９】
2006030832.tif 000011
【図１０】
2006030832.tif 000012
【図１１】
2006030832.tif 000013
【図１２】
2006030832.tif 000014
【図１３】
2006030832.tif 000015
【図１４】
2006030832.tif 000016
【図１５】
2006030832.tif 000017
【図１６】
2006030832.tif 000018
【図１７】
2006030832.tif 000019
【図１８】
2006030832.tif 000020
【図１９】
2006030832.tif 000021
【図２０】
2006030832.tif 000022
【図２１】
2006030832.tif 000023
【図２２】
2006030832.tif 000024
【図２３】
2006030832.tif 000025